(57)【特許請求の範囲】
【請求項１】
対向する壁体間に合成スラブ用のデッキプレートが配置されており、当該デッキプレート上にコンクリートを打設して床体が構築されているスチールハウスであって、
前記各壁体は、下階の壁パネルと、当該下階の壁パネルの上端縁に沿って配置された鋼製の境界梁と、当該境界梁上に立設された上階の壁パネルとを備えて構成されており、
前記デッキプレート上には、間仕切りパネルが立設されており、
前記下階の壁パネル、前記上階の壁パネルおよび前記間仕切りパネルは、いずれも、軽量形鋼からなる下枠、上枠およびたて枠を互いに組み合わせて構成されており、
前記間仕切りパネルの下枠が前記コンクリートに埋設されており、
前記境界梁に前記デッキプレートが支持されていることを特徴とするスチールハウス。
【請求項２】
前記境界梁は、Ｈ形鋼で構成されており、
前記Ｈ形鋼の下フランジの下面に、前記下階の壁パネルの上枠が固定されており、
前記Ｈ形鋼の上フランジの上面に、前記上階の壁パネルの下枠が固定されていることを特徴とする請求項１に記載のスチールハウス。
【請求項３】
前記Ｈ形鋼には、その長手方向に沿ってブラケットが設けられており、
当該ブラケット上に前記デッキプレートが載置されていることを特徴とする請求項２に記載のスチールハウス。
【請求項４】
前記ブラケットが前記Ｈ形鋼のウェブに取り付けられていることを特徴とする請求項３に記載のスチールハウス。
【請求項５】
前記デッキプレートが前記境界梁の上面と前記上階の壁パネルの下面とで挟持されていることを特徴とする請求項１に記載のスチールハウス。
【請求項６】
前記下階の壁パネルは、基礎の上部に埋設されたＨ形鋼のフランジに立設されていることを特徴とする請求項１乃至請求項５のいずれか一項に記載のスチールハウス。
【請求項７】
前記各壁体の上端縁と屋根との間に屋根境界梁が配置されていることを特徴とする請求項１乃至請求項６のいずれか一項に記載のスチールハウス。
【発明の詳細な説明】
【技術分野】
【０００１】
本発明は、床体の構造に特徴のあるスチールハウスに関する。
【背景技術】
【０００２】
従来、複数の断面溝形（本明細書においては、リップ付きのものも含む）の軽量形鋼を組み合わせて壁体、床体、天井、屋根等を構成したスチールハウスが知られている（例えば、特許文献１参照）。かかるスチールハウスは、木材に比べて材料コストが安い、耐震性・耐久性に優れている、現場作業が容易で工期が短く施工コストが安い、等の多くの利点を有することから、急速に普及しつつある。
【０００３】
【特許文献１】登録実用新案第３０９０６５９号公報（全頁）
【発明の開示】
【発明が解決しようとする課題】
【０００４】
このスチールハウスは、軽量形鋼同士をドリリングタッピングネジ（以下、単に「ネジ」という）若しくはボルト・ナットを用いて互いに接合することにより構築されるが、ネジ等の本数が膨大になることから、その接合作業に多大な手間と時間とを要してしまうという問題がある。
【０００５】
また、施工現場での作業性を向上させるべく、予め工場において壁パネル、床パネル、天井パネル、屋根パネル等を組み立てておき、これらを現場において互いに接合するという試みもなされているが、パネル製作時に要するネジ等の本数が膨大であることには変わりがない。例えば、従来の床パネルは、図１４に示すように、断面溝形の軽量形鋼からなる端根太６１、側根太６２、床根太６３、転び止め６４、壁受６５等からなるが、これらを互いに接合してパネル状に形成するには、膨大な本数のネジ等を必要とするため、たとえ工場で製作したとしても、多大な手間と時間とを要してしまう。すなわち、工場において各種パネルを製作しておけば、施工現場での作業は大幅に簡略化されるものの、パネルの製作には依然として多大な手間と時間とを要することから、全体としてみると作業の簡略化・迅速化や製作コストの低廉化が十分に図れているとはいえず、まだまだ改善の余地がある。
【０００６】
そこで、本発明は、構築作業の簡略化・迅速化を図ることが可能で、且つ、製作コストの低廉化を図ることが可能なスチールハウスを提供することを課題とする。
【課題を解決するための手段】
【０００７】
このような課題を解決するための請求項１の発明は、対向する壁体間にデッキプレートが配置されており、当該デッキプレートを利用して床体が構築されているスチールハウスである。
【０００８】
かかるスチールハウスによると、床体を構成する部材の種類が大幅に削減されることから、床体の構築作業の簡略化・迅速化を図ることが可能となり、ひいてはスチールハウス全体の構築作業の簡略化・迅速化および製作コストの低廉化を図ることが可能となる。すなわち、従来のスチールハウスの床体では、端根太、側根太、床根太、転び止め、壁受など多種多様な部材を膨大な本数のネジ等を用いて互いに接合する必要があったが、デッキプレートを利用する本発明に係るスチールハウスの床体では、このような煩雑な作業が不要となる。
【０００９】
本発明において、前記デッキプレートは、合成スラブ用デッキプレートであり、前記床体は、前記合成スラブ用デッキプレート上にコンクリートを打設してなる。
【００１０】
すなわち、本発明に係るスチールハウスは、その床体を合成床版としたものである。このようにすると、床体の遮音性能が断面溝形の軽量形鋼で構成される従来の床体のそれに比して格段に向上する。なお、合成スラブ用デッキプレート上に鉄筋やメッシュ筋等を配置しても勿論よい。また、コンクリートには、モルタルも含まれる。
【００１１】
本発明においては、前記各壁体は、下階の壁パネルと、当該下階の壁パネルの上端縁に沿って配置された鋼製の境界梁と、当該境界梁上に立設された上階の壁パネルとを備えて構成されており、前記デッキプレート上には、間仕切りパネルが立設されている。前記下階の壁パネル、前記上階の壁パネルおよび前記間仕切りパネルは、いずれも、軽量形鋼からなる下枠、上枠およびたて枠を互いに組み合わせて構成されており、前記間仕切りパネルの下枠が前記コンクリートに埋設されており、前記境界梁に前記デッキプレートが支持されている。
【００１２】
かかるスチールハウスは、多層階建て（二階建て、三階建て、四階建て等）のスチールハウスであって、工場で予め製作した壁パネルを利用するものであるが、上階の壁パネルと下階の壁パネルとの間に介設された境界梁でデッキプレートを支持する構成としたので、壁パネルにデッキプレートを支持するための特別の加工を施す必要がなくなる。また、上階の壁パネルや上階の床体に作用する荷重が境界梁を介して下階の壁パネルに伝達されることになる。つまり、上階の壁パネルや上階の床体に作用した荷重が分散して下階の壁パネルに作用することになるので、下階の壁パネルに局所的な変形等が発生することがない。
【００１３】
請求項２の発明は、請求項１に記載のスチールハウスであって、前記境界梁は、Ｈ形鋼で構成されており、前記Ｈ形鋼の下フランジの下面に、前記下階の壁パネルの上枠が固定されており、前記Ｈ形鋼の上フランジの上面に、前記上階の壁パネルの下枠が固定されていることを特徴とする。
また、請求項３の発明は、請求項２に記載のスチールハウスであって、前記Ｈ形鋼には、その長手方向に沿ってブラケットが設けられており、当該ブラケット上に前記デッキプレートが載置されていることを特徴とする
【００１４】
かかるスチールハウスによると、Ｈ形鋼で境界梁を構成したので、その製造費が非常に安価になる。
【００１５】
請求項４の発明は、請求項３に記載のスチールハウスであって、前記ブラケットが前記Ｈ形鋼のウェブに取り付けられていることを特徴とする。
【００１６】
かかるスチールハウスによると、境界梁の上面に上階の壁パネルを立設した後であっても、対向する壁体間にデッキプレートを敷設することが可能となる。つまり、このスチールハウスは、その組立工程の自由度が高い。また、Ｈ形鋼のウェブにブラケットを取り付けることの他の利点は、デッキプレート上にコンクリートを打設する場合に、Ｈ形鋼のウェブが側枠として機能することにあり、これにより、作業の簡略化を図ることも可能となる。
【００１７】
請求項５の発明は、請求項１に記載のスチールハウスであって、前記境界梁の上面と前記上階の壁パネルの下面とにより前記デッキプレートが挟持されていることを特徴とする。
【００１８】
かかるスチールハウスによると、デッキプレートを支持するためのブラケット等が不要になるので、床体の構築作業の簡略化・迅速化を図ることが可能となり、ひいてはスチールハウス全体の構築作業の簡略化・迅速化および製作コストの低廉化を図ることが可能となる。
【００２５】
請求項６の発明は、請求項１乃至請求項５のいずれか一項に記載のスチールハウスであって、前記下階の壁パネルは、基礎の上部に埋設されたＨ形鋼のフランジに立設されていることを特徴とする。
【００２６】
かかるスチールハウスによると、基礎に埋設されたアンカーボルトを利用して下階の壁パネルを設置する従来のスチールハウスに比べて、施工効率が格段に向上する。すなわち、従来のスチールハウスでは、フレッシュコンクリートに埋設されたアンカーボルトの位置が養生中にずれることがあり、この場合には、壁パネルの位置合わせができないなど、その設置作業に支障をきたすことがあるが、基礎の上部にＨ形鋼を埋設する本発明に係るスチールハウスでは、Ｈ形鋼の位置がずれ難いことから、壁パネルの設置作業が格段に容易になる。
【００２９】
請求項７の発明は、請求項１乃至請求項６のいずれか一項に記載のスチールハウスであって、前記各壁体の上端縁と屋根との間に屋根境界梁が配置されていることを特徴とする。
【００３０】
かかるスチールハウスによると、屋根の自重およびこの屋根に作用する荷重が屋根境界梁を介して各壁体に伝達されることになる。つまり、屋根からの荷重が分散して各壁体に作用することになるので、各壁体に局所的な変形等が発生することがない。なお、この屋根境界梁は、多層階建てのスチールハウスだけでなく、平屋建てのスチールハウスにも適用することができる。
【発明の効果】
【００３１】
本発明に係るスチールハウスによると、その構築作業の簡略化・迅速化を図ることが可能となり、さらには、製作コストの低廉化を図ることが可能となる。
【発明を実施するための最良の形態】
【００３２】
以下、本発明を実施するための最良の形態を、添付した図面を参照しつつ詳細に説明する。なお、図面においては、外装材や内装材等の図示を省略している。
【００３３】
（第一の実施形態）
第一の実施形態に係るスチールハウスは、図１（ａ）〜（ｃ）に示すように、二階建て以上（図示のものは二階建て）のスチールハウスであって、基礎Ｂと、この基礎Ｂ上に構築された壁体Ｗ，Ｗ，…と、対向する壁体Ｗ，Ｗ間に構築された上階の床体Ｆ２と、壁体Ｗ，Ｗ，…の上端に構築された屋根Ｙと、基礎Ｂ上に構築された下階の間仕切Ｍ１と、上階の床体Ｆ２に構築された上階の間仕切Ｍ２とを備えて構成されている。なお、基礎Ｂの上部には、Ｈ形鋼が埋設されている（図６参照）。また、図示は省略するが、基礎Ｂ上に下階の床体Ｆ１を構築し、この床体Ｆ１上に壁体Ｗ，Ｗ，…を構築してもよい。
【００３４】
壁体Ｗは、基礎Ｂに埋設されたＨ形鋼の上側のフランジに立設固定された複数の下階の壁パネル１１と、複数の壁パネル１１の上端縁に沿って配置された境界梁１２と、この境界梁１２上に立設固定された複数の上階の壁パネル１３とを備えて構成されている。
【００３５】
下階の壁パネル１１は、断面溝形の軽量形鋼からなる下枠、上枠、たて枠等をネジ等で互いに接合してパネル状に形成したものであり、ネジ若しくはボルト・ナットを用いて隣接する他の壁パネル１１と互いに接合される。なお、下階の壁パネル１１には、窓やドア用の開口を有するものと、これらを有しないものとがある。
【００３６】
上階の壁パネル１３の構成は、下階の壁パネル１１と同様であるので、その詳細な説明を省略する。
【００３７】
境界梁１２は、図２に示すように、軽量Ｈ形鋼で構成されており、このＨ形鋼のウェブ１２ａには、その長手方向に沿ってブラケット１２ｄが取り付けられている。ブラケット１２ｄは、軽量山形鋼からなり、ボルト・ナットを用いてＨ形鋼のウェブ１２ａに接合されている。
【００３８】
図１（ａ）に示す下階の床体Ｆ１は、詳細な説明は省略するが、土間に立設された床束等を利用して構築される。
【００３９】
上階の床体Ｆ２は、図２に示すように、互いに連結される複数のデッキプレート２１と、このデッキプレート２１の隣り合うリブ２１ａ，２１ａ間に配設される鉄筋２２と、デッキプレート２１の上方に配設されるメッシュ筋２３と、デッキプレート２１上に打設されるコンクリート２４（図３（ａ），（ｂ）参照）とを備えて構成されている。
【００４０】
デッキプレート２１は、合成スラブ用のものであり、図３（ａ）に示すように、その長手方向の両端が境界梁１２のブラケット１２ｄに載置される。また、図３（ｂ）に示すように、その短手方向の一端が境界梁１２に隣接して配置されるデッキプレート２１にあっては、当該短手方向の一端も境界梁１２のブラケット１２ｄに載置される。なお、本実施形態では、対向する壁体Ｗ，Ｗ間に下階の間仕切Ｍ１が構築されていることから（図１（ａ）参照）、デッキプレート２１の中間部分（本実施形態では中央部分）は、図４に示すように、下階の間仕切Ｍ１の上端に載置されることになる。なお、デッキプレート２１の断面形状は、図示のものに限定されることはなく、図５（ａ）〜（ｃ）に示すようなものであっても差し支えない。
【００４１】
下階の間仕切Ｍ１は、図１（ａ）に示すように、基礎上に立設された複数の間仕切パネル４１を備えて構成されている。間仕切パネル４１は、断面溝形の軽量形鋼からなる下枠、上枠、たて枠をネジで互いに接合してパネル状に形成したものであり、ネジ若しくはボルト・ナットを用いて隣接する他の間仕切パネル４１と互いに接合される。
【００４２】
上階の間仕切Ｍ１は、図１（ｂ）に示すように、上階の床体Ｆ２を構成するデッキプレート２１のリブ２１ａ上に立設された複数の間仕切パネル５１を備えて構成されている。間仕切パネル５１の構成は、間仕切パネル４１の構成と同様である。
【００４３】
屋根Ｙは、断面溝形の軽量形鋼からなる天井根太、棟木、垂木、束材等をネジで互いに接合して形成したものである。
【００４４】
なお、図示は省略するが、各壁体Ｗの上端縁（すなわち、上階の壁パネル１３の上端縁）と屋根Ｙとの間に例えばＨ形鋼からなる屋根境界梁を配置してもよい。このようにすると、屋根Ｙの自重および屋根Ｙに作用する荷重が屋根境界梁を介して各壁体Ｗに伝達されることになる。つまり、屋根Ｙからの荷重が分散して各壁体Ｗに作用することになるので、各壁体Ｗに局所的な変形等が発生することがない。
【００４５】
次に、以上のように構成された本実施形態に係るスチールハウスの組立手順を、図１および図６を参照して説明する。
【００４６】
スチールハウスを組み立てるには、まず、基礎Ｂを構築するための型枠を設置するとともに、基礎Ｂの上部となる位置にＨ形鋼Ｂ１を設置したうえで、Ｈ形鋼Ｂ１のウェブＢ１３の略中央までコンクリートを打設し（図６参照）、コンクリートが所定の強度に達したらＨ形鋼Ｂ１のフランジＢ１１上に予め工場で製作しておいた複数の下階の壁パネル１１を建て込み、ボルト・ナットを用いてＨ形鋼Ｂ１のフランジＢ１１上に固定し、さらに、ネジ等を用いて隣接する下側の壁パネル１１同士を互いに接合する（図１（ａ）参照）。同様にして、間仕切パネル４１を基礎Ｂ上に立設固定する。なお、図示は省略するが、Ｈ形鋼Ｂ１の上側のフランジＢ１１（図６参照）には、下階の壁パネル１１を固定するためのボルトが挿通されるボルト孔が穿設されている。次に、下階の壁パネル１１の上端縁（上枠）に沿って境界梁１２を載置したうえで、ボルト・ナットを用いて境界梁１２を下階の壁パネル１１の上端縁に固定し、さらに、対向する境界梁１２，１２間に複数のデッキプレート２１を架設する（図１（ａ）参照）。続いて、予め工場で製作しておいた複数の上階の壁パネル１３を境界梁１２上に建て込み、ネジ等を用いて隣接する壁パネル１３同士を互いに接合するとともに、ボルト・ナットを用いて各壁パネル１３を境界梁１２に固定し（図１（ｂ）参照）、その後、上階の壁パネル１３上に屋根Ｙを構築する（図１（ｃ）参照）。なお、下階の壁パネル１１をＨ形鋼Ｂ１に立設固定した後の適宜な段階で、Ｈ形鋼Ｂ１の上側のフランジＢ１１までコンクリートを打設する（図６において符号Ｂ’を付した部位）。すなわち、Ｈ形鋼Ｂ１は、下階の壁パネル１１を立設するまでは、下側のフランジＢ１２とウェブＢ１３の略中央までが基礎Ｂに埋設され、下階の壁パネル１１を立設固定した後に、上側のフランジＢ１１まで埋設される。
【００４７】
ここで、上階の床体Ｆ２の構築方法を、図３および図４を参照してより詳細に説明する。
上階の床体Ｆ２を構築するには、まず、複数のデッキプレート２１を対向する境界梁１２，１２のブラケット１２ｄ，１２ｄ間に隙間なく架設し、その長手方向の両端をネジ若しくはボルト・ナットを用いてブラケット１２ｄに固定する（図３（ａ）参照）。次に、デッキプレート２１のリブ２１ａ，２１ａ間に適宜なかぶりを確保しつつ鉄筋２２を配置し、さらに、デッキプレート２１の上方に同じく適宜なかぶりを確保しつつメッシュ筋２３を配置する（図３（ｂ）参照）。その後、デッキプレート２１上に所定の厚さだけコンクリート２４を打設する（図３（ａ），（ｂ）参照）。なお、図４に示すように、上階の間仕切Ｍ２を構成する間仕切パネル５１は、コンクリート２４を打設する前に、デッキプレート２１のリブ２１ａ上に立設しておく。すなわち、間仕切パネル５１は、その下端部分（下枠）がコンクリート２４（図３参照）に埋設されることになる。なお、デッキプレート２１上へのコンクリート２４の打設は、適宜な段階で行えばよく、例えば、屋根Ｙ（図１（ｃ）参照）を構築した後であっても差し支えない。
【００４８】
以上のように、本実施形態に係るスチールハウスによると、上階の床体Ｆ２を構成する部材の種類が大幅に削減されることから、上階の床体Ｆ２の構築作業の簡略化・迅速化を図ることが可能となり、ひいてはスチールハウス全体の構築作業の簡略化・迅速化および製作コストの低廉化を図ることが可能となる。すなわち、従来のスチールハウスの床体では、端根太、側根太、床根太、転び止め、壁受など多種多様な部材を膨大な本数のネジ等を用いて互いに接合する必要があったが、デッキプレート２１を利用する本実施形態に係るスチールハウスの上階の床体Ｆ２では、デッキプレート２１を配置してコンクリートを打設するだけでよいので、従来の床体のような煩雑な作業が不要となる。また、従来のスチールハウスでは、床体を構築するために床根太を必要としたが、本実施形態に係るスチールハウスでは、床根太が不要となるため、床体の構築作業を簡略化することができる。
【００４９】
さらに、この上階の床体Ｆ２は、デッキプレート２１上にコンクリート２４が打設されているので（図３（ａ），（ｂ）参照）、その遮音性能が断面溝形の軽量形鋼で構成される従来の床体に比して格段に向上する。
【００５０】
また、下階の壁パネル１１と上階の壁パネル１３との間に介設された境界梁１２でデッキプレート２１を支持する構成としたので（図３（ａ），（ｂ）参照）、壁パネル１１，１３にデッキプレート２１を支持するための特別の加工を施す必要がなくなる。また、上階の壁パネル１３や上階の床体Ｆ２に作用する荷重が境界梁１２を介して下階の壁パネル１１に伝達されることになる。つまり、上階の壁パネル１３や上階の床体Ｆ２に作用した荷重が分散して下階の壁パネル１１に作用することになるので、下階の壁パネル１１に局所的な変形等が発生することがない。特に、本実施形態では、曲げ剛性の高いＨ形鋼で境界梁１２を構成したので、上階の壁パネル１３等に局所的に作用した荷重であっても、ほぼ均等に分散して下階の壁パネル１１に作用することになる。
【００５１】
また、境界梁１２をＨ形鋼で形成したので（図３（ａ），（ｂ）参照）、その材料費が非常に安価になる。また、境界梁１２のウェブ１２ａがデッキプレート２１上にコンクリート２４を打設する際の側枠として機能することになるので、作業の簡略化を図ることが可能となる。
【００５２】
また、基礎Ｂの上部にＨ形鋼Ｂ１を埋設し、このＨ形鋼Ｂ１を利用して下階の壁パネル１１を設置する構成としたので（図６参照）、基礎に埋設されたアンカーボルトを利用して下階の壁パネルを設置する従来のスチールハウスに比べて、施工効率が格段に向上する。すなわち、従来のスチールハウスでは、フレッシュコンクリートに埋設されたアンカーボルトの位置が養生中にずれることがあり、この場合には、壁パネルの位置合わせができないなど、その設置作業に支障をきたすことがあるが、基礎Ｂの上部にＨ形鋼Ｂ１を埋設する本発明に係るスチールハウスでは、Ｈ形鋼Ｂ１の位置がずれ難いことから、下階の壁パネル１１の設置作業が格段に容易になる。
【００５４】
また、本実施形態では、Ｈ形鋼（境界梁１２）のウェブ１２ａに山形鋼からなるブラケット１２ｄを設け、このブラケット１２ｄ上にデッキプレート２１を載置する構成を例示したが（図３（ａ），（ｂ）参照）、この他、図７（ａ）に示すように、Ｈ形鋼の下側のフランジ１２ｃにフラットバーからなるブラケット１２ｅを設け、このブラケット１２ｅ上にデッキプレート２１を載置する構成であってもよい。なお、ブラケット１２ｅは、Ｈ形鋼（境界梁１２）と一体に成形されたものであってもよいし、Ｈ形鋼（境界梁１２）と別体に成形されたものであってもよい。ブラケット１２ｅをＨ形鋼（境界梁１２）と別体とした場合には、溶接等によりＨ形鋼（境界梁１２）のフランジ１２ｂの側端縁に接合すればよい。なお、図７（ｂ）に示すように、Ｈ形鋼の上側のフランジ１２ｂにフラットバーからなるブラケット１２ｅを設け、このブラケット１２ｅ上にデッキプレート２１を載置する構成であっても勿論よい。
【００５５】
また、本実施形態では、境界梁１２に設けたブラケット１２ｄ（図３（ａ），（ｂ）参照）あるいはブラケット１２ｅ（図７（ａ），（ｂ）参照）でデッキプレート２１を支持する構成を例示したが、これに限定されることはなく、例えば、図８に示すように、下階の壁パネル１１の上端部分に設けた横梁１４でデッキプレート２１を支持する構成であってもよい。この横梁１４は、二つの軽量形鋼を組み合わせたものであり、これら軽量形鋼は、図示しないネジ等で互いに接合されている。なお、下階の壁パネル１１と上階の壁パネル１３とは直に接合される。
【００５６】
このような構成にしても、前記した実施形態に係るスチールハウスと同様に、上階の床体Ｆ２を構成する部材の種類が大幅に削減されることから、上階の床体Ｆ２の構築作業の簡略化・迅速化を図ることが可能となり、ひいてはスチールハウス全体の構築作業の簡略化・迅速化および製作コストの低廉化を図ることが可能となる。
【００５７】
また、図９に示すように、デッキプレート２１の側端部が境界梁１２の上面と上階の壁パネル１３の下面とにより挟持されているものであってもよい。つまり、前記したブラケット１２ｄ（図３（ａ），（ｂ）参照）等を省略し、境界梁１２の上面に直にデッキプレート２１の側端部を載置してもよい。なお、デッキプレート２１は、その上面に立設された壁パネル１３とともに図示せぬボルト・ナットを用いて境界梁１２に固定される。
【００５８】
このような構成にすると、デッキプレート２１を支持するためのブラケット１２ｄ等が不要になるので、上階の床体Ｆ２の構築作業の簡略化・迅速化を図ることが可能となり、ひいてはスチールハウス全体の構築作業の簡略化・迅速化および製作コストの低廉化を図ることが可能となる。
【００５９】
また、本発明の実施形態ではないが、デッキプレート２１に代えて図５（ｄ）に示すプレキャスト製のコンクリートパネルを利用して上階の床体Ｆ２を構築してもよい。
【００６０】
図１０に示すように、このコンクリートパネル（図１０において符号２５を付した部材）は、図３（ａ）に示すデッキプレートの場合と同様に、その長手方向の両端が境界梁１２のブラケット１２ｄに載置される。また、コンクリートパネル２５は、複数の中空孔２５ａを有しており、その軽量化が図られている。さらに、コンクリートパネル２５には、複数のＰＣ鋼線２５ｂにてプレストレスが導入されていることから、耐力が非常に高い。また、コンクリートパネル２５の上面に、モルタル２６が打設されている。
【００６１】
このような構成にしても、前記した実施形態に係るスチールハウスと同様に、上階の床体Ｆ２を構成する部材の種類が大幅に削減されることから、上階の床体Ｆ２の構築作業の簡略化・迅速化を図ることが可能となり、ひいてはスチールハウス全体の構築作業の簡略化・迅速化および製作コストの低廉化を図ることが可能となる。
【００６２】
（参考実施形態）
前記した第一の実施形態に係るスチールハウスでは、下階の壁パネル１１と上階の壁パネル１３とこれらの間に介設された境界梁１２とで壁体Ｗを構成したが（図２参照）、この他、図１１（ａ）に示す参考実施形態に係るスチールハウスのように、下階の壁パネル１１と、この下階の壁パネル１１の上面に立設された上階の壁パネル１３と、下階の壁パネル１１の上面と前記上階の壁パネルの下面との間に介設された接続部材１５とで壁体Ｗを構成してもよい。
【００６３】
接続部材１５は、図１１（ｂ）に示すように、下階の壁パネル１１の上面と上階の壁パネル１３の下面とに挟持される挟持部１５ａと、この挟持部１５ａの一方の縁端からその側方に向かって張り出す張出部１５ｂと、挟持部１５ａと張出部１５ｂとの境界部分に設けられた第一係止片１５ｃと、挟持部１５ａの他方の縁端に設けられた第二係止片１５ｄとを備えて構成されている。
【００６４】
第一係止片１５ｃは、挟持部１５ａの下面よりも下方に突出する下側突条部１５ｃａと、挟持部１５ａの上面よりも上方に突出する上側突条部１５ｃｂとを備えており、下側突条部１５ｃａが下階の壁パネル１１の一方の壁面（ここでは、上枠の一方の側面）に当接し、上側突条部１５ｃｂが上階の壁パネル１３の一方の壁面（ここでは、下枠の一方の側面）に当接する。
【００６５】
第二係止片１５ｄは、挟持部１５ａの下面よりも下方に突出する下側突条部１５ｄａと、挟持部１５ａの上面よりも上方に突出する上側突条部１５ｄｂとを備えており、下側突条部１５ｄａが下階の壁パネル１１の他方の壁面（ここでは、上枠の他方の側面）に当接し、上側突条部１５ｄｂが上階の壁パネル１３の他方の壁面（ここでは、下枠の他方の側面）に当接する。
【００６６】
つまり、第一係止片１５ｃと第二係止片１５ｄとは、各壁パネル１１，１３の厚さ寸法と等しい離隔距離をもって対向しており、したがって、第一係止片１５ｃと第二係止片１５ｄとの間に下階の壁パネル１１の上端部（ここでは、上枠）および上階の壁パネル１３の下端部（ここでは、下枠）が嵌り込むことになる。
【００６７】
そして、このように構成された壁体Ｗを組み立てるには、Ｈ形鋼Ｂ１（図６参照）上に立設された下階の壁パネル１１の上端部に接続部材１５を設置したうえで、この接続部材１５上に上階の壁パネル１３を建て込み、ボルト・ナットを用いて上階の壁パネル１３を接続部材１５とともに下階の壁パネル１１に固定すればよい。なお、接続部材１５は、下階の壁パネル１１の上端部かあるいは上階の壁パネル１３の下端部に予め取り付けておいてもよい。
【００６８】
また、上階の床体Ｆ２を構築するには、壁体Ｗの組立が完了した後の適宜な時期に、接続部材１５の張出部１５ｂの上面にデッキプレート２１の縁部を載置したうえで、当該縁部を図示せぬボルト・ナット等で張出部１５ｂに対して固定し、さらに、必要に応じてデッキプレート２１上にコンクリートを打設すればよい。
【００６９】
このように、本実施形態に係るスチールハウスによると、下階の壁パネル１１の上面に上階の壁パネル１３を立設した後であっても、対向する壁体Ｗ，Ｗ間にデッキプレート２１を敷設することが可能となる。つまり、このスチールハウスは、その組立工程の自由度が高い。
【００７０】
また、接続部材１５の第一係止片１５ｃおよび第二係止片１５ｄが位置決め部材として機能することになるので、接続部材１５の設置作業が容易になるとともに、上階の壁パネル１３の取付精度も向上する。また、第一係止片１５ｃと第二係止片１５ｄとの間に下壁パネル１１の上端部が嵌り込むので、接続部材１５上に上階の壁パネル１３を立設する際に、接続部材１５が脱落する虞がない。
【００７１】
なお、接続部材１５の構成は、図１１（ａ），（ｂ）に示す形態のものに限定されることはなく、適宜変更しても差し支えない。
【００７２】
例えば、図１２（ａ）に示す接続部材１５のように、第一係止片１５ｃおよび第二係止片１５ｄを挟持部１５ａの下面側にのみ配置してもよい。このような接続部材１５であっても、下階の壁パネル１１の上面に上階の壁パネル１３を立設した後にデッキプレート２１を設置することが可能となる。また、接続部材１５を下階の壁パネル１１上に設置するに際し、第一係止片１５ｃおよび第二係止片１５ｄが位置決め部材として機能することになるので、接続部材１５の設置作業が容易になり、さらには、第一係止片１５ｃと第二係止片１５ｄとの間に下壁パネル１１の上端部が嵌り込むので、接続部材１５上に上階の壁パネル１３を立設する際に、接続部材１５が脱落する虞がない。
【００７３】
また、図１２（ｂ）に示す接続部材１５のように、前記した第二係止片１５ｄ（図１２（ａ）参照）を省略してもよい。つまり、挟持部１５ａと張出部１５ｂと第一係止片１５ｃとで接続部材１５を構成してもよい。このような接続部材１５であっても、下階の壁パネル１１の上面に上階の壁パネル１３を立設した後にデッキプレート２１を設置することが可能となる。また、接続部材１５を下階の壁パネル１１上に設置するに際し、第一係止片１５ｃが位置決め部材として機能することになるので、接続部材１５の設置作業が容易になる。なお、図１２（ｂ）に示す第一係止片１５ｃは、挟持部１５ａの下面よりも下方に突出する下側突条部１５ｃａと、挟持部１５ａの上面よりも上方に突出する上側突条部１５ｃｂとを備えているが、下側突条部１５ｃａのみを備えるものであってもよいし、上側突条部１５ｃｂのみを備えるものであってもよい。
【００７４】
さらに、図１３（ａ）に示すように、挟持部１５ａと、この挟持部１５ａの一方の縁端からその側方に向かって張り出す張出部１５ｂと、挟持部１５ａの他方の縁端に設けられた第二係止片１５ｄとで接続部材１５を構成してよい。このような接続部材１５であっても、下階の壁パネル１１の上面に上階の壁パネル１３を立設した後にデッキプレート２１を設置することが可能となる。また、接続部材１５を下階の壁パネル１１上に設置するに際し、第二係止片１５ｄが位置決め部材として機能することになるので、接続部材１５の設置作業が容易になる。なお、図１３（ａ）に示す第二係止片１５ｄは、挟持部１５ａの下面よりも下方に突出する下側突条部のみを備えているが、挟持部１５ａの上面よりも上方に突出する上側突条部（図示略）のみを備えるものであってもよいし、下側突条部と上側突条部（図示略）とを備えるものであってもよい。
【００７５】
また、図１３（ｂ）に示すように、挟持部１５ａと、この挟持部１５ａの一方の縁端からその側方に向かって張り出す張出部１５ｂとで接続部材１５を構成してもよい。このような接続部材であっても、下階の壁パネル１１の上面に上階の壁パネル１３を立設した後にデッキプレート２１を設置することが可能となるので、スチールハウスの組立工程の自由度を向上させることが可能となる。
【００７６】
また、図１１〜図１３に示した接続部材１５は、挟持部１５ａの片側のみに張出部１５ｂを有しているが、この他、図示は省略するが、挟持部１５ａの両側に張出部を有するものであってもよい。どちらのタイプにするかは、間取り等に応じて適宜選択すればよい。
【図面の簡単な説明】
【００７７】
【図１】第一の実施形態に係るスチールハウスの組立手順の一例を示す斜視図であって、（ａ）は下階部分の組立状況を示す図、（ｂ）は上階部分の組立状況を示す図、（ｃ）は屋根の組立状況を示す図である。
【図２】上階の床体の構成を示す分解斜視図である。
【図３】上階の床体の断面図であって、（ａ）はデッキプレートの長手方向に沿って切断した図、（ｂ）はデッキプレートの短手方向に沿って切断した図である。
【図４】上階の床体と間仕切との取り合いを示す斜視図である。
【図５】（ａ），（ｂ），（ｃ）はデッキプレートの他の構成例を示す断面図、（ｄ）はコンクリートパネルの断面図である。
【図６】基礎部分の断面図である。
【図７】（ａ），（ｂ）はブラケットの他の構成を示す断面図である。
【図８】上階の床体の他の構成を示す斜視図である。
【図９】上階の床体のさらに他の構成を示す斜視図である。
【図１０】上階の床体のさらに他の構成を示す断面図であって、コンクリートパネルの短手方向に沿って切断した図である。
【図１１】（ａ）は参考実施形態に係るスチールハウスを示す斜視図、（ｂ）は（ａ）の分解斜視図である。
【図１２】（ａ），（ｂ）は接続部材の他の構成を示す斜視図である。
【図１３】（ａ），（ｂ）は接続部材のさらに他の構成を示す斜視図である。
【図１４】従来の床体（床パネル）を示す斜視図である。
【符号の説明】
【００７８】
Ｗ      壁体
１１    下階の壁パネル
１２    境界梁
１２ａ  ウェブ
１２ｄ  ブラケット
１３    上階の壁パネル
１５    接続部材
１５ａ  挟持部
１５ｂ  張出部
１５ｃ  第一係止片
１５ｄ  第二係止片
Ｆ１    下階の床体
Ｆ２    上階の床体
２１    デッキプレート
２２    鉄筋
２３    メッシュ筋
２４    コンクリート
Ｍ１，Ｍ２  間仕切
Ｂ      基礎
Ｂ１    Ｈ形鋼
Ｙ      屋根
【図１】
0004651976.tif 000002
【図２】
0004651976.tif 000003
【図３】
0004651976.tif 000004
【図４】
0004651976.tif 000005
【図５】
0004651976.tif 000006
【図６】
0004651976.tif 000007
【図７】
0004651976.tif 000008
【図８】
0004651976.tif 000009
【図９】
0004651976.tif 000010
【図１０】
0004651976.tif 000011
【図１１】
0004651976.tif 000012
【図１２】
0004651976.tif 000013
【図１３】
0004651976.tif 000014
【図１４】
0004651976.tif 000015